(57)【要約】【課題】外観性及び触感性に優れた安価な表皮一体型成形品及びその成形方法を提案する。【解決手段】表皮体２の内側に折り込まれた表皮材２Ａ，２Ｂの縫合部６を該表皮体２の内側から柔軟で且つ非透水性のシート材５によって被包する。かかる構成とすることで、上記縫合部６部分が発泡樹脂材の発泡圧によって引き伸ばされて針孔８が拡大したとしても、この拡大部分が上記シート材５によって被包されることで発泡樹脂材の漏洩が防止されるとともに、該シート材５によって該縫合部６側への液状の発泡樹脂材の含浸が確実に防止され、さらに発泡樹脂材の漏洩に伴う後処理作業が不要となり、これらの相乗効果として、外観性及び触感性共に優れた商品価値が高く且つ安価な表皮一体型成形品を提供することができる。【選択図】　　　　図１
2004065735.tif 000002
【特許請求の範囲】
【請求項１】
表皮材（２Ａ），（２Ｂ）を縫合してなる表皮体（２）と、該表皮体（２）の内側において発泡樹脂材を発泡充填させてなるコア材（４）とを備えた表皮一体型成形品であって、
上記表皮体（２）の内側に折り込まれた上記表皮材（２Ａ），（２Ｂ）の縫合部（６）が該表皮体（２）の内側から柔軟で且つ非透水性のシート材（５）によって被包されていることを特徴とする表皮一体型成形品。
【請求項２】
請求項１において、
上記シート材（５）が縫合又は接着によって上記縫合部（６）に取り付けられていることを特徴とする表皮一体型成形品。
【請求項３】
表皮材（２Ａ），（２Ｂ）を縫合してなる表皮体（２）の内側に、発泡樹脂材を注入し且つこれを発泡充填させてコア材（４）を成形するようにした表皮一体型成形品の成形方法であって、
上記表皮体（２）内への上記発泡樹脂材の注入に先立って、上記表皮体（２）の内側に折り込まれた上記表皮材（２Ａ），（２Ｂ）の縫合部（６）を該表皮体（２）の内側から柔軟で且つ非透水性のシート材（５）によって被包することを特徴とする表皮一体型成形品の成形方法。
【発明の詳細な説明】
【０００１】
【発明の属する技術分野】
本願発明は、表皮体一体型成形品及びその成形方法に関するものである。
【０００２】
【従来の技術】
図９には、従来一般的な表皮一体型の成形品１の一例として、車両用シートに備えられるヘッドレスト１１を示している。このヘッドレスト１１は、袋状に縫製された表皮体２内に、スティ部３１と左右一対のポール部３２，３２とを備えた芯材３を上記ポール部３２，３２の先端側を外部へ突出させた状態で配置し、この状態で上記表皮体２内に発泡樹脂材を注入し且つこれを発泡充填させて該表皮体２内にコア材４を成形することで得られる。
【０００３】
上記表皮体２は、上記ヘッドレスト１１の胴部外周面を構成する第１表皮材２Ａと側部外面を構成する左右一対の第２表皮材２Ｂ，２Ｂとを縫合してこれを袋状とした縫製品である。この場合、これら各表皮材２Ａ，２Ｂは、共に、図１０に示すように、表皮材外面を構成する布材２１の内側に、緩衝用のスラブ材２２と発泡樹脂材の漏洩防止用のフィルム材２３とを順次ラミネートした三層構造とされている。かかる三層構造の各表皮材２Ａ，２Ｂの周縁部を、図１２に示すように、その布材２１，２１同士を衝合させた状態で縫合糸７を用いて縫合し、その縫合部６より端縁側部分をそれぞれ縫合縁部２Ａａ，２Ｂａとする。そして、縫製後、上記各縫合縁部２Ａａ，２Ｂａが内面側に折り込まれるように表裏反転させることで袋状の表皮体２が製作される。
【０００４】
【発明が解決しようとする課題】
ところで、縫製状態における上記表皮体２は、上記各表皮材２Ａ，２Ｂが自由状態であることから、図１２に示すように、該各表皮材２Ａ，２Ｂを貫通する針孔の周縁は縫合糸７の外周に密接している。
【０００５】
ところが、上記表皮体２内に上記コア材４を形成すべく、該表皮体２内にコア材原料として液状の発泡樹脂材を注入し且つこれを発泡させて該表皮体２内に充填させると、該発泡樹脂材の発泡圧によって上記各表皮材２Ａ，２Ｂにはその面方向に張力が作用する。この張力は当然に上記各表皮材２Ａ，２Ｂの縫合部６にも作用するため、該縫合部６においては、上記縫合糸７が通った針孔８部分を境として、該各表皮材２Ａ，２Ｂがそれぞれ反対方向へ引張されて引き伸ばし作用を受ける。この縫合部６における上記各表皮材２Ａ，２Ｂの引き伸ばし作用に伴って、上記針孔８は該各表皮材２Ａ，２Ｂのそれぞれにおいて引き伸ばし方向に拡大され、その結果、上記表皮体２内で発泡している発泡樹脂材の一部がこの拡大した針孔８から外部へ漏洩して固化し、粒状の漏洩固結体９として縫合線に沿って点在することになる。
【０００６】
この漏洩固化物９，９，・・は、ヘッドレスト１１の外部に露出しその外観を損ねることから、成形完了後にこれを除去する必要があり、余分な作業工数がかかる分だけヘッドレスト１１の成形コストが高くつくとか、発泡樹脂材の漏洩量が多い場合（即ち、上記漏洩固化物９の粒径が大きいとか漏洩固化物９の数が多い場合）にはヘッドレスト１１そのものの廃棄処分を余儀なくされる、等の問題があった。
【０００７】
また、上述のような発泡樹脂材の外部への漏洩にまで至らないまでも（即ち、上記針孔８が発泡樹脂材の漏洩に至るほどには拡大していない場合でも）、図１３に示すように、上記各縫合縁部２Ａａ，２Ｂａは上記縫合部６部分から上記表皮体２の内側へ折り込まれていることから、上記各表皮材２Ａ，２Ｂがそれぞれフィルム材２３をラミネートしているにも拘わらず、上記各表皮材２Ａ，２Ｂの布材２１及びスラブ材２２が共に上記表皮体２の内側に露出し、上記表皮体２内に注入された発泡樹脂材がその液体状態においてこれらに含浸され、その結果、この含浸部分が他の部分よりも硬くなり、ヘッドレスト１１全体として違和感を生じさせその商品価値の低下を招来すると言う問題もあった。
【０００８】
そこで本願発明は、外観性及び触感性ともに優れ商品価値が高く、且つ成形コストが安価である表皮一体型成形品及びその成形方法を提案することを目的としてなされたものである。
【０００９】
【課題を解決するための手段】
本願発明ではかかる課題を解決するための具体的手段として次のような構成を採用している。
【００１０】
本願の第１の発明では、表皮材２Ａ，２Ｂを縫合してなる表皮体２と、該表皮体２の内側において発泡樹脂材を発泡充填させてなるコア材４とを備えた表皮一体型成形品において、上記表皮体２の内側に折り込まれた上記表皮材２Ａ，２Ｂの縫合部６を該表皮体２の内側から柔軟で且つ非透水性のシート材５によって被包したことを特徴としている。
【００１１】
本願の第２の発明では、上記第１の発明にかかる表皮一体型成形品において、上記シート材５を縫合又は接着によって上記縫合部６に取り付けたことを特徴としている。
【００１２】
本願の第３の発明では、表皮材２Ａ，２Ｂを縫合してなる表皮体２の内側に、発泡樹脂材を注入し且つこれを発泡充填させてコア材４を成形するようにした表皮一体型成形品の成形方法において、上記表皮体２内への上記発泡樹脂材の注入に先立って、上記表皮体２の内側に折り込まれた上記表皮材２Ａ，２Ｂの縫合部６を該表皮体２の内側から柔軟で且つ非透水性のシート材５によって被包することを特徴としている。
【００１３】
【発明の効果】
本願発明ではかかる構成とすることにより次のような効果が得られる。
【００１４】
▲１▼　本願の第１の発明にかかる表皮一体型成形品によれば、表皮体２の内側に折り込まれた表皮材２Ａ，２Ｂの縫合部６を該表皮体２の内側から柔軟で且つ非透水性のシート材５によって被包しているので、例え発泡樹脂材の発泡圧によって上記各表皮材２Ａ，２Ｂに張力がかかり上記縫合部６の針孔が拡大したとしても上記張力は上記シート材５には何ら作用せず、該シート材５は拡大した上記針孔部分を被包する。このため、上記縫合部６の上記針孔部分が拡大していたとしても、上記表皮体２内で発泡する発泡樹脂材が上記針孔側へ漏洩するのが上記シート材５によって阻止されるとともに、上記縫合部６側への液体状態の発泡樹脂材の含浸も確実に防止されることになる。
【００１５】
この結果、縫合部６からの発泡樹脂材の漏洩がない分だけ該縫合部６の外観、延いては表皮一体型成形品の外観が良好に維持されるとともに、上記縫合部６の発泡樹脂材の含浸による局部的な硬化がなくその触感が他の部位と同様に良好に維持され、かかる外観性と触感性の向上との相乗効果として、表皮一体型成形品の商品価値が向上することになる。
【００１６】
また、上記縫合部６からの発泡樹脂材の漏洩がないことから、例えば従来の表皮一体型成形品のように漏洩した発泡樹脂材を除去するための後処理作業が不要であり、それだけ表皮一体型成形品の低コスト化が促進されることになる。
【００１７】
▲２▼　本願の第２の発明にかかる表皮一体型成形品によれば、上記▲１▼に記載の効果に加えて次のような特有の効果が得られる。即ち、この発明の表皮一体型成形品では、上記縫合部６に縫合又は接着によって上記シート材５を取り付けているので、
縫合による上記シート材５の取付けの場合には、該シート材５を各表皮材２Ａ，２Ｂの縫合作業時に同時に取り付けることができ、該シート材５の取付けに伴うコストアップを抑制することができ、
また、接着による上記シート材５の取付けの場合には、縫合部６に対する上記シート材５の位置決めを容易且つ正確に行うことができ、それだけ作業上の信頼性が向上し、
これら何れの場合においても、上記シート材５を取り付けることに基づく上記▲１▼に記載の効果がより一層確実ならしめられる。
【００１８】
▲３▼　本願の第３の発明にかかる表皮一体型成形品の成形方法によれば、表皮材２Ａ，２Ｂを縫合してなる表皮体２の内側に発泡樹脂材を注入し且つこれを発泡充填させてコア材４としてなる表皮一体型成形品の成形に際して、上記表皮体２内への上記発泡樹脂材の注入に先立って、上記表皮体２の内側に折り込まれた上記表皮材２Ａ，２Ｂの縫合部６を該表皮体２の内側から柔軟で且つ非透水性のシート材５によって被包するようにしているので、上記縫合部６に上記シート材５を取り付けるという簡易且つ安価な手段によって、上記縫合部６からの発泡樹脂材の漏洩、各表皮材２Ａ，２Ｂへの発泡樹脂材の含浸が未然に且つ確実に防止され、この結果、外観性及び触感性に共に優れた表皮一体型成形品を、しかもより安価に提供することができるものである。
【００１９】
【発明の実施の形態】
以下、本願発明に係る表皮一体型成形品１を、該成形品１がヘッドレスト１１である第１の実施形態と、該成形品１がアームレスト１２である第２の実施形態と、該成形品１がシートクッション１３である第３の実施形態とに基づいて、それぞれ具体的に説明する。
【００２０】
Ｉ：第１の実施形態
図１には、表皮一体型成形品１の第１の実施形態として、表皮一体型のヘッドレスト１１を示している。このヘッドレスト１１の基本構造は、上述した従来のヘッドレスト１１と同様であって、袋状に縫製された表皮体２内に、スティ部３１と左右一対のポール部３２，３２とを備えた芯材３を上記ポール部３２，３２の先端側を外部へ突出させた状態で配置し、この状態で上記表皮体２内に発泡樹脂材を注入し且つこれを発泡充填させて該表皮体２内にコア材４を成形することで得られるものである。また、上記表皮体２も、上記ヘッドレスト１１の胴部外周面を構成する第１表皮材２Ａと側部外面を構成する左右一対の第２表皮材２Ｂ，２Ｂとを縫合してこれを袋状とした縫製品とされる。
【００２１】
そして、これら各表皮材２Ａ，２Ｂは、共に、図１０に示すように、表皮材外面を構成する布材２１の内側に、緩衝用のスラブ材２２と発泡樹脂材の漏洩防止用のフィルム材２３とを順次ラミネートした三層構造とされている。かかる三層構造の各表皮材２Ａ，２Ｂの周縁部を、図３に示すように、その布材２１，２１同士を衝合させた状態で縫合糸７を用いて縫合し、その縫合部６より端縁側部分をそれぞれ縫合縁部２Ａａ，２Ｂａとするとともに、縫製後、上記各縫合縁部２Ａａ，２Ｂａが内面側に折り込まれるように表裏反転させることで袋状の表皮体２が製作されるものである。
【００２２】
そして、この第１の実施形態のヘッドレスト１１が上記従来のヘッドレスト１１と異なる点は、図２及び図３に示すように、上記各表皮材２Ａ，２Ｂの周縁部の縫合時に、該周縁部を帯状のシート材５によって被包し、この状態で、該シート材５の上側から（即ち、上記シート材５の端縁５ａ，５ｂが縫合予定位置よりも所定幅だけ上記各表皮材２Ａ，２Ｂの内側寄りに位置するようにして）、該シート材５と共に四枚重ね状態で上記各表皮材２Ａ，２Ｂの周縁部を同時に縫合した点である。
【００２３】
このように、上記シート材５を取り付けた状態でこれと共に上記各表皮材２Ａ，２Ｂを縫合することで、上記各表皮材２Ａ，２Ｂの上記縫合部６よりも端縁寄りに位置する上記各縫合縁部２Ａａ，２Ｂａは、上記シート材５によって被包されてこれが直接上記表皮体２内に露出すること（即ち、上記表皮体２内に充填され且つ発泡される発泡樹脂材に直接晒されること）が阻止されるとともに、上記縫合部６における針孔８部分も上記シート材５によって覆われることになる。
【００２４】
従って、この状態で上記表皮体２内に発泡樹脂材を充填し且つこれを発泡させると、図４に示すように、上記各表皮材２Ａ，２Ｂは発泡樹脂材の発泡圧に起因する張力を受けて引き伸ばされ、これに伴って上記針孔８も拡大することになるが、上記シート材５は単に発泡樹脂材の発泡圧による面圧（即ち、シート材５を各縫合縁部２Ａａ，２Ｂａの表面側に押し付ける作用）を受けるのみで、これを引き伸ばす作用は受けないことから、上記各表皮材２Ａ，２Ｂの各縫合縁部２Ａａ，２Ｂａは上記シート材５によって被包された状態のまま維持され、また拡大した上記針孔８は上記シート材５の端部５ａ，５ｂ部分によって表皮体２の内側から覆われた状態が維持される。
【００２５】
従って、図４に示すように、上記表皮体２内で発泡樹脂材が発泡しその発泡圧によって上記各表皮材２Ａ，２Ｂがその面方向に引き伸ばされて上記針孔８が拡大していても、上記発泡樹脂材の上記針孔８側への漏洩が上記シート材５によって阻止されるとともに、上記各表皮材２Ａ，２Ｂの各縫合縁部２Ａａ，２Ｂａへの液体状態の発泡樹脂材の含浸も上記シート材５によって阻止される。
【００２６】
この結果、成形されたヘッドレスト１１においては、上記縫合部６に拡大された針孔８の一部が露出することは有り得るものの、従来のように針孔８から漏洩した発泡樹脂材によって形成される粒状の漏洩固化物９が点在しこれが外部に露出するというようなことは確実に防止され、上記縫合部６に上記漏洩固化物９が点在するような場合に比して、上記縫合部６部分の外観性、延いては上記ヘッドレスト１１全体としての外観性が向上することになる。
【００２７】
また、上記各縫合縁部２Ａａ，２Ｂａへの液体状態の発泡樹脂材の含浸が阻止されることで、従来のようにここに含浸された発泡樹脂材によって上記各縫合縁部２Ａａ，２Ｂａ部分が局部的に硬化して他の部位との間に触感の相違を生じるというようなことがなく、該縫合部６部分の触感性、延いてはヘッドレスト１１全体としての触感性が向上することになる。
【００２８】
このように外観性と触感性とが共に向上することで、上記ヘッドレスト１１においてはその商品価値の向上が期待できるものである。
【００２９】
一方、上記縫合部６部分における発泡樹脂材の漏洩が上記縫合部６部分に取り付けられた上記シート材５によって未然に且つ確実に阻止されることから、例えば従来の様な漏洩発泡樹脂材によって発生する漏洩固化物９の除去作業を行う必要が全くなく、係る後処理作業が不要である分だけヘッドレスト１１の成形時における作業工数が低減し、延いては上記ヘッドレスト１１の成形コストの低廉化が促進され、製品としてのヘッドレスト１１をより安価に提供できることになる。
【００３０】
ＩＩ：第２の実施形態
図５には、表皮一体型成形品１の第２の実施形態として、表皮一体型のアームレスト１２を示している。このアームレスト１２は、上記第１の実施形態にかかるヘッドレスト１１と同様に、アームレスト１２の表裏両面を含む外周面を構成する第１表皮材２Ａの両側端縁とアームレスト１２の左右両側面を構成する左右一対の第２表皮材２Ｂ，２Ｂの外周端縁とを縫合して袋状とし且つこれを縫製後に表裏反転させてなる表皮体２内に、直状の回転支軸３３と「コ」字状に折曲されたフレーム３４とを一体化してなる芯材３を、上記回転支軸３３の両端を上記表皮体２から外方へ突出させた状態で配置し、この状態で、上記表皮体２内に樹脂注入管２４を通して発泡樹脂材を注入し且つこれを発泡充填してコア材４を成形して得られるものである。
【００３１】
尚、上記各表皮材２Ａ，２Ｂは、上記第１の実施形態のヘッドレスト１１の場合と同様に、図１０に示す如く布材２１とスラブ材２２とフィルム材２３とを三層状にラミネートした三層ラミネート構造とされている。
【００３２】
この実施形態のアームレスト１２においても、上記表皮体２が各表皮材２Ａ，２Ｂの縫合構造とされ、且つ該表皮体２内において発泡樹脂材を発泡成形させて上記コア材４を成形する構成上、何らの手当をしない場合には、発泡樹脂材の発泡圧を受けて上記各表皮材２Ａ，２Ｂが引き伸ばされ、該各表皮材２Ａ，２Ｂ同士の縫合部６において縫合時の針孔８が拡大した場合、ここから発泡樹脂材の漏洩が生じて該縫合部６に沿って漏洩固化物９が点在しその外観性等を損ねる恐れがある。
【００３３】
このため、かかる問題を回避すべく、この実施形態のアームレスト１２においても、図６に拡大図示するように、上記各表皮材２Ａ，２Ｂの周縁部同士を縫合する時、該周縁部を帯状のシート材５によって被包し、この状態で、該シート材５の上側から該シート材５と共に四枚重ね状態で上記各表皮材２Ａ，２Ｂの周縁部を同時に縫合している。かかる縫合構造を採用することで、上記各表皮材２Ａ，２Ｂの上記縫合部６よりも端縁寄りに位置する各縫合縁部２Ａａ，２Ｂａは、上記シート材５によって被包されてこれが直接上記表皮体２内に露出すること（即ち、上記表皮体２内に充填され且つ発泡される発泡樹脂材に直接晒されること）が阻止されるとともに、上記縫合部６における針孔８部分も上記シート材５によって覆われることになる。
【００３４】
従って、この状態で上記表皮体２内に発泡樹脂材を充填し且つこれを発泡させて上記コア材４を形成する場合、例え上記各表皮材２Ａ，２Ｂが発泡樹脂材の発泡圧に起因する張力を受けて引き伸ばされ、これに伴って上記針孔８も拡大したとしても、上記シート材５は単に発泡樹脂材の発泡圧による面圧を受けるのみで、これを引き伸ばす作用は受けないことから、上記各表皮材２Ａ，２Ｂの各縫合縁部２Ａａ，２Ｂａは上記シート材５によって被包された状態のまま維持され、また拡大した上記針孔８は上記シート材５の端部５ａ，５ｂ部分によって表皮体２の内側から覆われた状態が維持されることから、上記発泡樹脂材の上記針孔８側への漏洩、及び上記各表皮材２Ａ，２Ｂの各縫合縁部２Ａａ，２Ｂａへの液体状態の発泡樹脂材の含浸も、共に上記シート材５によって阻止されることになる。
【００３５】
この結果、成形されたアームレスト１２においては、上記縫合部６に拡大された針孔８の一部が露出することは有り得るものの、上記縫合部６部分に粒状の漏洩固化物９が点在しこれが外部に露出するというようなことがなくなり、該縫合部６部分の外観性、延いては上記アームレスト１２全体としての外観性が向上することになる。
【００３６】
また、上記各縫合縁部２Ａａ，２Ｂａへの液体状態の発泡樹脂材の含浸が阻止されることで、従来のようにここに含浸された発泡樹脂材によって上記各縫合縁部２Ａａ，２Ｂａ部分が局部的に硬化して他の部位との間に触感の相違を生じるというようなことがなく、該縫合部６部分の触感性、延いてはアームレスト１２全体としての触感性が向上することになる。
【００３７】
このように外観性と触感性とが共に向上することで、上記アームレスト１２においてはその商品価値の向上が期待できるものである。
【００３８】
一方、上記縫合部６部分における発泡樹脂材の漏洩が上記縫合部６部分に取り付けられた上記シート材５によって未然に且つ確実に阻止されることから、例えば従来の様な漏洩発泡樹脂材によって発生する漏洩固化物９の除去作業を行う必要が全くなく、係る後処理作業が不要である分だけアームレスト１２の成形時における作業工数が低減し、延いては上記アームレスト１２の成形コストの低廉化が促進され、製品としてのアームレスト１２をより安価に提供できることになる。
【００３９】
ＩＩＩ：第３の実施形態
図７には、表皮一体型成形品１の第３の実施形態として、表皮一体型のシートクッション１３を示している。このシートクッション１３は、縫製された表皮体２の内側に発泡樹脂材の発泡成形によってコア材４を成形して構成されることは上記第１の実施形態のヘッドレスト１１及び第２の実施形態のアームレスト１２の場合と同様であるが、これらと異なる点は、上記表皮体２そのものを袋状に形成していない点である。
【００４０】
即ち、この実施形態においては、図７及び図８に示すように、上記表皮体２を、上記シートクッション１３の座面を構成する略矩形状の第１表皮材２Ａと該第１表皮材２Ａの外周縁に縫合されて上記シートクッション１３の外側面を構成する第２表皮材２Ｂとで構成している。従って、この表皮体２では、その縫製状態においては、その下方側（即ち、上記第１表皮材２Ａに対向する面側）が開口している。この表皮体２の開口部分を閉塞して該表皮体２と共にその内側に上記コア材４の形成用空間を形成すべく、該表皮体２の下側に、シートクッション１３の車体側への取付部としても機能する略矩形椀状形態をもつアンダーフレーム１０を配置し、この状態で上記アンダーフレーム１０に設けた樹脂注入孔２５から発泡樹脂材を注入し且つこれを発泡充填させるようにしている。
【００４１】
尚、上記各表皮材２Ａ，２Ｂは、上記各実施形態の場合と同様に、布材２１とスラブ材２２とフィルム材２３との三層ラミネート構造をもつものを採用している。
【００４２】
また、この実施形態では、上記コア材４の成形形状を所定形状に且つ安定的に得るために（換言すれば、上記シートクッション１３の成形精度を確保するために）、上記表皮体２を上記各実施形態の場合のように自由状態とするのではなく、該表皮体２の外面側に所定形状の成形面１６ａをもつ成形型１６を配置している。また、この成形型１６によって上記第２表皮材２Ｂを上記アンダーフレーム１０側へ付勢することで、これら両者間のシール性を確保するようにしている。
【００４３】
ところで、この実施形態のものにおいても、例え上記表皮体２が上記成形型１６によってバックアップされているとしても、この表皮体２内で発泡樹脂材が発泡充填される場合には、該表皮体２の上記各表皮材２Ａ，２Ｂ同士の縫合部６においては、発泡圧により上記各表皮材２Ａ，２Ｂが引き伸ばし作用を受け上記針孔８部分が拡大することで、この針孔８部分から発泡樹脂材が漏洩して上記縫合部６部分に漏洩固化物９が点在しその外観性を損なう恐れのあることは上記各実施形態の場合と同様である。
【００４４】
そのため、この実施形態でも、上記各実施形態の場合と同様に、上記縫合部６部分をシート材５によって被包し、該シート材５のシール作用によって上記針孔８部分からの発泡樹脂材の漏洩、あるいは上記各表皮材２Ａ，２Ｂの各縫合縁部２Ａａ，２Ｂａ部分への発泡樹脂材の含浸を未然に且つ確実に防止するようにしている。
【００４５】
この結果、この実施形態のシートクッション１３においても、上記縫合部６に拡大された針孔８の一部が露出することは有り得るものの、上記縫合部６部分に粒状の漏洩固化物９が点在しこれが外部に露出するというようなことがなくなり、該縫合部６部分の外観性、延いては上記シートクッション１３全体としての外観性が向上することになる。
【００４６】
また、上記各縫合縁部２Ａａ，２Ｂａへの液体状態の発泡樹脂材の含浸が阻止されることで、従来のようにここに含浸された発泡樹脂材によって上記各縫合縁部２Ａａ，２Ｂａ部分が局部的に硬化して他の部位との間に触感の相違を生じるというようなことがなく、該縫合部６部分の触感性、延いてはシートクッション１３全体としての触感性が向上することになる。
【００４７】
このように外観性と触感性とが共に向上することで、上記シートクッション１３においてはその商品価値の向上が期待できるものである。
【００４８】
一方、上記縫合部６部分における発泡樹脂材の漏洩が上記縫合部６部分に取り付けられた上記シート材５によって未然に且つ確実に阻止されることから、例えば従来の様な漏洩発泡樹脂材によって発生する漏洩固化物９の除去作業を行う必要が全くなく、係る後処理作業が不要である分だけシートクッション１３の成形時における作業工数が低減し、延いては上記シートクッション１３の成形コストの低廉化が促進され、製品としてのシートクッション１３をより安価に提供できることになる。
【００４９】
尚、この実施形態においては、上記表皮体２と上記アンダーフレーム１０との間に直接発泡樹脂材を注入し且つこれを発泡充填させる成形方法を採用したが、この他に、例えば、上記アンダーフレーム１０の代わりに、これと同一の成形面をもつ成形型と上記表皮体２側の上記成形型１６とを使用して上記コア材４を形成し、事後的に上記アンダーフレーム１０を、上記コア材４のうち、上記成形型により成形された露出状態の部分に取り付けて上記表皮体２と共にこれら三者を一体化させる方法も採用することができる。そして、これら何れの方法を採用するにしても、最終的には、図８に示すように、上記アンダーフレーム１０の底面に設けた掛止部１４に、上記第２表皮材２Ｂの外端縁２Ｂｂに取り付けた当板１５を掛止して該第２表皮材２Ｂによって上記アンダーフレーム１０の側部を覆い、上記シートクッション１３の美観性を確保する。
【００５０】
ＩＶ：その他
（１）　上記各実施形態においては、上記シート材５を縫合によって上記各表皮材２Ａ，２Ｂの上記縫合部６部分に取り付ける場合を例にとって説明したが、本願発明はかかる構成に限定されるものではなく、例えば縫合による取付けに代えて、上記シート材５を接着によって上記縫合部６部分に取り付けることもできるものである。そして、縫合によって上記シート材５を取付ける場合においては、該シート材５を各表皮材２Ａ，２Ｂの縫合作業時に同時に取り付けることができることから、該シート材５の取付けに伴うコストアップを抑制することができる。また、接着によって上記シート材５を取付ける場合においては、上記縫合部６に対する上記シート材５の位置決めを容易且つ正確に行うことができ、それだけ作業上の信頼性が向上し、延いては上記シート材５を取り付けることに基づく上記の如き効果がより一層確実となるものである。
【００５１】
（２）　上記各実施形態では、上記各表皮材２Ａ，２Ｂとして、布材２１とスラブ材２２とフィルム材２３からなる三層ラミネート構造のものを例として示しているが、本願発明の表皮一体型成形品はかかる構成のものに限定されるものではなく、例えばスラブ材２２を備えない構成、即ち、布材２１とフィルム材２３の二層ラミネート構造のものにも適用できることは勿論である。
【図面の簡単な説明】
【図１】本願発明に係る表皮一体型成形品の第１の実施形態としてのヘッドレストの外観を示す斜視図である。
【図２】図１に示したヘッドレストの表皮体の縫合部分の構造を示す拡大斜視図である。
【図３】図２に示した縫合部の縫合状態を示す断面図である。
【図４】図３に示した縫合部におけるコア材成形後の状態を示す断面図である。
【図５】本願発明に係る表皮一体型成形品の第２の実施形態としてのアームレストの外観を示す斜視図である。
【図６】図５に示したアームレストの表皮体の縫合部分の構造を示す拡大斜視図である。
【図７】本願発明に係る表皮一体型成形品の第３の実施形態としてのシートクッションの外観を示す斜視図である。
【図８】図７のＶＩＩＩ−ＶＩＩＩ拡大断面図である。
【図９】従来のヘッドレストの外観を示す斜視図である。
【図１０】表皮体の構成を示す断面図である。
【図１１】図９に示したヘッドレストの表皮体の縫合部分の構造を示す拡大斜視図である。
【図１２】図１１に示した縫合部の縫合状態を示す断面図である。
【図１３】図１２に示した縫合部におけるコア材成形後の構造を示す断面図である。
【符号の説明】
１はヘッドレスト、２は表皮体、２Ａ及び２Ｂは表皮材、３は芯材、４はコア材、５はシート材、６は縫合部、７は縫合糸、８は針孔、９は漏洩固化物、１０はアンダーフレーム、１１はヘッドレスト、１２はアームレスト、１３はシートクッション、１４は掛止部、１５は当板、１６は成形型、２１は布材、２２はスラブ材、２３はフィルム材である。
【図１】
2004065735.tif 000003
【図２】
2004065735.tif 000004
【図３】
2004065735.tif 000005
【図４】
2004065735.tif 000006
【図５】
2004065735.tif 000007
【図６】
2004065735.tif 000008
【図７】
2004065735.tif 000009
【図８】
2004065735.tif 000010
【図９】
2004065735.tif 000011
【図１０】
2004065735.tif 000012
【図１１】
2004065735.tif 000013
【図１２】
2004065735.tif 000014
【図１３】
2004065735.tif 000015